【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
エネルギー貯蔵アセンブリであって、
少なくとも１つのエネルギー貯蔵層を備え、
前記エネルギー貯蔵層は、
離間して配置された複数の開口を有する絶縁層と、
それぞれが前記開口の１つの内に収容された複数のエネルギー貯蔵デバイスと、
を含み、
前記複数のエネルギー貯蔵デバイスは互いに電気的に接続されて構成される、エネルギー貯蔵アセンブリ。
【請求項２】
前記少なくとも１つのエネルギー貯蔵層は、前記複数のエネルギー貯蔵デバイスと前記絶縁層とが上に配置される支持材料をさらに含んで構成される、請求項１に記載のエネルギー貯蔵アセンブリ。
【請求項３】
前記絶縁層は、ポリマー及び繊維強化されたポリマー複合体からなる群より選択される材料を含んで構成される、請求項１に記載のエネルギー貯蔵アセンブリ。
【請求項４】
少なくとも幾つかの前記エネルギー貯蔵デバイスは、カーボンナノチューブを含む、請求項１に記載のエネルギー貯蔵アセンブリ。
【請求項５】
少なくとも幾つかの前記エネルギー貯蔵デバイスは、カーボンナノチューブ浸出繊維を含む、請求項１に記載のエネルギー貯蔵アセンブリ。
【請求項６】
前記少なくとも１つのエネルギー貯蔵層に接触する少なくとも１つの応力担持層をさらに含んで構成される、請求項１に記載のエネルギー貯蔵アセンブリ。
【請求項７】
前記少なくとも１つのエネルギー貯蔵層は、少なくとも２つの応力担持層間に配置される、請求項６に記載のエネルギー貯蔵アセンブリ。
【請求項８】
前記少なくとも２つの応力担持層は、それぞれ、繊維強化ポリマー複合体を含んで構成される、請求項７に記載のエネルギー貯蔵アセンブリ。
【請求項９】
エネルギー貯蔵アセンブリであって、
少なくとも２つの応力担持層と、
前記少なくとも２つの応力担持層の間に配置された少なくとも１つのエネルギー貯蔵層と、
を含み、
前記少なくとも１つのエネルギー貯蔵層は、
支持材料と、
離間して配置された複数の開口を有する絶縁層と、
それぞれが前記開口の１つの内に収容された複数のエネルギー貯蔵デバイスと、
を含んで構成される、エネルギー貯蔵アセンブリ。
【請求項１０】
前記少なくとも１つのエネルギー貯蔵層は、前記エネルギー貯蔵アセンブリの厚さの約９０％までを占めて構成される、請求項９に記載のエネルギー貯蔵アセンブリ。
【請求項１１】
前記複数のエネルギー貯蔵デバイスは、互いに電気的に接続される、請求項９に記載のエネルギー貯蔵アセンブリ。
【請求項１２】
前記電気的接続は、前記支持材料上でなされる、請求項１１に記載のエネルギー貯蔵アセンブリ。
【請求項１３】
少なくとも幾つかの前記エネルギー貯蔵デバイスは、カーボンナノチューブを含む、請求項９に記載のエネルギー貯蔵アセンブリ。
【請求項１４】
支持材料上に複数のエネルギー貯蔵デバイスを離間して配置するステップと、
前記支持材料上の前記複数のエネルギー貯蔵デバイスの周囲に絶縁層を配置して、それによりエネルギー貯蔵層を形成するステップと、
を含んで構成される、方法。
【請求項１５】
前記絶縁層は、前記複数のエネルギー貯蔵デバイスの周囲に配置される前に、前記複数のエネルギー貯蔵デバイスの間隔に適合して離間した複数の開口を有するように、事前に形成される、請求項１４に記載の方法。
【請求項１６】
前記支持材料上に複数の電気接続部を形成するステップと、
前記複数の電気接続部を使用して前記複数のエネルギー貯蔵デバイスを電気的に接続するステップと、
をさらに含んで構成される、請求項１４に記載の方法。
【請求項１７】
少なくとも２つの応力担持層の間に少なくとも１つのエネルギー貯蔵層を配置するステップをさらに含み、各応力担持層は繊維強化ポリマー複合体を含んで構成される、請求項１４に記載の方法。
【手続補正２】
【補正対象書類名】明細書
【補正対象項目名】０１１８
【補正方法】変更
【補正の内容】
【０１１８】
当然のことながら、本発明の様々な実施形態の働きに実質的に影響を与えない変更も、本明細書で提供された本発明の定義内に含まれる。本発明は開示された実施形態を参照して説明されたが、当業者であれば、これらの実施形態が本発明の例示にすぎないことを容易に認識するであろう。当然のことながら、本発明の精神から逸脱することなく、様々な変形例を考え出すことが可能である。本願発明は、変更され、異なるものの本明細書内の技術の利益を有する当業者にとって明らかに均等な方法で実施されてもよいので、上記に開示された特定の実施形態は単なる例示である。また、以下の特許請求の範囲の記載によるほか、本明細書に示された詳細な構造又はデザインはなんら限定されるものではない。従って、上記に開示された特定の例示的な実施形態は、変更され、組合わされ又は修正されること、及び、全てのこのような変形が本願発明の精神及び範囲内であるとみなされることは明らかである。組成物及び方法は、様々な構成要素又は工程を「含んで構成される(comprising)」、「含有する、含む(contain)」、又は「含む（include）」という言葉で記載されるが、組成物及び方法は、様々な構成要素又は働き「から本質的に成る」又は「から成る」ものでもある。上記に記載された全ての数及び範囲を若干変更することができる。下限及び上限を有する数値範囲が開示された場合、より広い範囲の中に含まれる全ての数及び全ての部分的範囲が具体的に開示される。また、特許請求の範囲の用語は、特許権所有者によって、別段の、はっきりとした明瞭な定義がされた場合を除き、それらの簡潔な一般的な意味を有する。仮に本明細書、及び、参照によって本明細書に組み込まれる一つ以上の特許又は他の書類において、単語又は用語の利用においていくらかの矛盾がある場合、本明細書と合致する定義を採用するべきである。
以上の実施形態から把握し得る請求項以外の技術的思想について、以下に記載する。
（ａ）前記電気的接続は、前記支持材料上でなされる、請求項２に記載のエネルギー貯蔵アセンブリ。
（ｂ）少なくとも幾つかの前記エネルギー貯蔵デバイスは、互いに電気的に並列接続される、請求項１に記載のエネルギー貯蔵アセンブリ。
（ｃ）少なくとも幾つかの前記エネルギー貯蔵デバイスは、互いに電気的に直列接続される、上記（ｂ）に記載のエネルギー貯蔵アセンブリ。
（ｄ）少なくとも幾つかの前記エネルギー貯蔵デバイスは、バッテリを含んで構成される、請求項１に記載のエネルギー貯蔵アセンブリ。
（ｅ）少なくとも幾つかの前記エネルギー貯蔵デバイスは、キャパシタ又はスーパーキャパシタを含んで構成される、請求項１に記載のエネルギー貯蔵アセンブリ。
（ｆ）前記カーボンナノチューブは、ポリピロール、ＭｎＯ２、ＲｕＯ２、及びこれらの組合せからなる群より選択されるコーティングで少なくとも一部が被覆される、請求項５に記載のエネルギー貯蔵アセンブリ。
（ｇ）前記複数のエネルギー貯蔵デバイスは、前記少なくとも１つのエネルギー貯蔵層内に格子構造で配置される、請求項１に記載のエネルギー貯蔵アセンブリ。
（ｈ）前記絶縁層の高さは、少なくとも前記エネルギー貯蔵デバイスの高さである、請求項１に記載のエネルギー貯蔵アセンブリ。
（ｉ）前記絶縁層は、ポリマー、及び繊維強化ポリマー複合体からなる群より選択される材料を含んで構成される、請求項９に記載のエネルギー貯蔵アセンブリ。
（ｊ）前記各エネルギー貯蔵デバイスはケーシングで囲まれ、
前記ケーシングは、前記絶縁層を含んで構成される、請求項９に記載のエネルギー貯蔵アセンブリ。
（ｋ）前記各々の開口は、前記絶縁層内の穴を含む、請求項９に記載のエネルギー貯蔵アセンブリ。
（ｌ）少なくとも幾つかの前記エネルギー貯蔵デバイスは、バッテリを含んで構成される、請求項９に記載のエネルギー貯蔵アセンブリ。
（ｍ）少なくとも幾つかの前記エネルギー貯蔵デバイスは、キャパシタ又はスーパーキャパシタを含んで構成される、請求項９に記載のエネルギー貯蔵アセンブリ。
（ｎ）前記複数のエネルギー貯蔵デバイスは、前記少なくとも１つのエネルギー貯蔵層内に格子構造で配置される、請求項９に記載のエネルギー貯蔵アセンブリ。
（ｏ）少なくとも１つのエネルギー貯蔵層を配置するステップは、積層プロセスを含んで構成される、請求項１７に記載の方法。
（ｐ）少なくとも１つのエネルギー貯蔵層を配置するステップは、フィラメントワインディングプロセスを含んで構成される、請求項１７に記載の方法。
（ｑ）少なくとも幾つかの前記エネルギー貯蔵デバイスは、バッテリを含んで構成される、請求項１４に記載の方法。
（ｒ）少なくとも幾つかの前記エネルギー貯蔵デバイスは、キャパシタ又はスーパーキャパシタを含んで構成される、請求項１４に記載の方法。
（ｓ）少なくとも幾つかの前記エネルギー貯蔵デバイスは、カーボンナノチューブを含む、請求項１４に記載の方法。